(57)【要約】【課題】収納庫を設けるためのスキップ床の下方の空間を、自然光を利用した多目的の空間として、効率良く使用することを可能にする採光収納構造部分を備える建物を提供する。【解決手段】下階の床部１２ａから０．５層分の高さに設置されたスキップ床１５の下方の空間に設けられた収納庫２５及び多目的採光スペース２６と、この多目的採光スペース２６との接続部に放光口２７を備え、多目的採光スペース２６から縦方向に延設して上端が採光口１７として建物１０の屋根部分１１ａに開口すると共に、内周面に光反射材が取り付けられた導光用縦ダクト１８ｃと、採光口１７に取り付けられた採光装置１９とからなる。多目的採光スペースは、展示スペース、ペット飼育スペース、インドアグリーンスペース等として用いられる。【選択図】図１
2008127937.tif 000002
【特許請求の範囲】
【請求項１】
下階の床部から０．５層分の高さに設置されたスキップ床の下方の空間に設けられた収納庫及び多目的採光スペースと、該多目的採光スペースとの接続部に放光口を備え、該多目的採光スペースから縦方向に延設して上端が採光口として建物の屋根部分又は屋上部分に開口すると共に、内周面に光反射材が取り付けられた導光用縦ダクトと、前記採光口に取り付けられた採光装置とからなる採光収納構造部分を備える建物。
【請求項２】
前記スキップ床の上方に中間階居住部が設けられると共に、前記導光用縦ダクトを囲む他の部分に下階居住部及び上階居住部が設けられ、前記導光用縦ダクトを囲むこれらの居住部の少なくとも一部に、放光部を介して前記導光用縦ダクトから自然光を取り込むことができるようになっている請求項１に記載の採光収納構造部分を備える建物。
【請求項３】
前記収納庫と前記多目的採光スペースとの間の仕切り壁に設けた放光部を介して、前記多目的採光スペースから前記収納庫に自然光を取り込むことができるようになっている請求項１又は２に記載の採光収納構造部分を備える建物。
【請求項４】
前記多目的採光スペースが、展示スペース、ペット飼育スペース、又はインドアグリーンスペースとして用いられる請求項１〜３のいずれかに記載の採光収納構造部分を備える建物。
【請求項５】
前記導光用縦ダクトの下端部分に換気量調整装置が取り付けられている請求項１〜４のいずれかに記載の採光収納構造部分を備える建物。
【請求項６】
前記導光用縦ダクトの下端部分に光量調整装置が取り付けられている請求項１〜５のいずれかに記載の採光収納構造部分を備える建物。
【請求項７】
前記多目的採光スペースの内周面に光触媒系材料による仕上げが施されている請求項１〜６のいずれかに記載の採光収納構造部分を備える建物。
【発明の詳細な説明】
【技術分野】
【０００１】
本発明は、採光収納構造部分を備える建物に関し、特に収納庫を設けるためのスキップ床の下方の空間を複合空間として効率良く使用できるようにした採光収納構造部分を備える建物に関する。
【背景技術】
【０００２】
近年、生活に使用する日用品や家具類等の物品の種類も多種多様となってきており、例えば季節に応じてこれらの物品を交換しながら使用する機会も多いことから、建物の内部の空間を利用して、大きな収納スペースを有する収納庫を確保することが要望されており、例えば、下階の床部から０．５層分の高さに中間床としてスキップ床を設置し、このスキップ床の上方に中間階の居住部を設けると共に、スキップ床の下方を収納庫とした住宅が種々提案されている（例えば、特許文献１、特許文献２参照）。
【０００３】
このような収納庫として用いられるスキップ床の下方の空間は、１層分の高さには満たないものの、例えば一般の居住者がかがんで歩ける程度の高さを備えており、収納庫の他にも多目的のスペースとして有効利用できる空間である。また、スキップ床は、これの上方に中間階の居住部を形成するために、相当の広さで、下階の床部から０．５層分上方に持ち上げて設けられることから、スキップ床の下方の空間の全域を収納庫として使用するのは、収納庫の面積が大きくなるだけで必ずしも効率の良い空間の利用方法であるとは言い難い。
【０００４】
一方、近年、太陽からの自然光を、壁や屋根に設けた採光装置からダクトを介して建物の内部に導き、省エネルギー化や自然との共生を図ることができるようにした建物も種々提案されている（例えば、特許文献３、特許文献４参照）。
【特許文献１】特開２００５−３５０８８０号公報
【特許文献２】特開２００６−９３０４号公報
【特許文献３】特開２００４−３１９１１０号公報
【特許文献４】特開２００６−５４０７１号公報
【発明の開示】
【発明が解決しようとする課題】
【０００５】
しかしながら、上記従来の自然光をダクトを介して建物の内部に導くようにした建物では、主として自然光を照明として用いるものであって、特に動植物の健康や育成に有効である自然光を効果的に用いることができるようにする構造を備えていなかった。
【０００６】
本発明は、このような従来の課題に着目してなされたものであり、収納庫を設けるためのスキップ床の下方の空間を、自然光を利用した多目的の空間として、効率良く使用することを可能にする採光収納構造部分を備える建物を提供することを目的とする。
【課題を解決するための手段】
【０００７】
本発明は、下階の床部から０．５層分の高さに設置されたスキップ床の下方の空間に設けられた収納庫及び多目的採光スペースと、該多目的採光スペースとの接続部に放光口を備え、該多目的採光スペースから縦方向に延設して上端が採光口として建物の屋根部分又は屋上部分に開口すると共に、内周面に光反射材が取り付けられた導光用縦ダクトと、前記採光口に取り付けられた採光装置とからなる採光収納構造部分を備える建物を提供することにより、上記目的を達成したものである。
【０００８】
ここで、上記記載における０．５層分の高さは、一般に２３０〜４００ｃｍ程度の高さを有する１層分の高さの中間部分に位置する高さを略称するものであり、１層分の高さの１／２の高さの他、１層分の高さの４０〜７５％程度の高さを含むものである。
【０００９】
そして、本発明の採光収納構造部分を備える建物は、前記スキップ床の上方に中間階居住部が設けられると共に、前記導光用縦ダクトを囲む他の部分に下階居住部及び上階居住部が設けられ、前記導光用縦ダクトを囲むこれらの居住部の少なくとも一部に、放光部を介して前記導光用縦ダクトから自然光を取り込むことができるようになっていることが好ましい。
【００１０】
また、本発明の採光収納構造部を備える建物は、前記収納庫と前記多目的採光スペースとの間の仕切り壁に設けた放光部を介して、前記多目的採光スペースから前記収納庫に自然光を取り込むことができるようになっていることが好ましい。
【００１１】
さらに、本発明の採光収納構造部を備える建物は、前記多目的採光スペースが、展示スペース、ペット飼育スペース、又はインドアグリーンスペースとして用いられることが好ましい。
【００１２】
さらにまた、本発明の採光収納構造部を備える建物は、前記導光用縦ダクトの下端部分に換気量調整装置が取り付けられていることが好ましい。
【００１３】
また、本発明の採光収納構造部を備える建物は、前記導光用縦ダクトの下端部分に光量調整装置が取り付けられていることが好ましい。
【００１４】
さらに、本発明の採光収納構造部を備える建物は、前記多目的採光スペースの内周面に光触媒系材料による仕上げが施されていることが好ましい。
【００１５】
本発明の採光収納構造部分を備える建物によれば、下階の床部から０．５層分の高さに設置されたスキップ床の下方の空間に、収納庫に加えて、多目的採光スペースを設けたので、採光口及び放光口を備える導光用縦ダクトを介して採光装置から取り込まれた自然光を、多目的採光スペースに採光することにより、収納庫による適度な広さの収納スペースを確保しつつ、自然光を効果的に利用した適度な広さの多目的の空間を、容易に形成することが可能になる。
【００１６】
そして、スキップ床の上方に中間階居住部を設けると共に、導光用縦ダクトを囲む他の部分に下階居住部及び上階居住部を設け、導光用縦ダクトを囲むこれらの居住部の少なくとも一部に、放光部を介して導光用縦ダクトから自然光を取り込むようにすれば、これらの居住部における省エネルギー化や自然との共生を図ることが可能になる。
【００１７】
また、収納庫と多目的採光スペースとの間の仕切り壁に設けた放光部を介して、多目的採光スペースから収納庫に自然光を取り込むことができるようにすれば、暗い環境になり易い収納庫に自然光による明るさを付与することが可能になる。
【００１８】
ここで、多目的採光スペースは、自然光を用いた展示スペースとすることができるが、ペット飼育スペース、又はインドアグリーンスペースとすることにより、特に動植物の健康や育成に有効である自然光を効果的に利用したスペースを形成することが可能になる。
【００１９】
そして、導光用縦ダクトの下端部分に換気量調整装置を取り付けておけば、導光用縦ダクトを介して行う多目的採光スペースを経た換気の換気量を、適宜調整することが可能になり、また導光用縦ダクトの下端部分に光量調整装置を取り付けておけば、放光口から多目的採光スペースに採光される自然光の光量を、適宜調整することが可能になる。
【００２０】
さらに、多目的採光スペースの内周面に光触媒系材料による仕上げを施しておけば、太陽からの自然光の作用によって、空気中の有害物質除去機能、脱臭機能、抗菌・殺菌機能等を発揮させることにより、多目的採光スペース内の環境浄化を図ることが可能になると共に、多目的採光スペース内の壁や床面の汚れを抑制することが可能になる。
【発明の効果】
【００２１】
本発明の採光収納構造部分を備える建物によれば、収納庫を設けるためのスキップ床の下方の空間を、自然光を利用した多目的の空間として、効率良く使用することができる。
【発明を実施するための最良の形態】
【００２２】
本発明の好ましい一実施形態に係る採光収納構造部分を備える建物１０は、例えば図１及び図２に示すように、主屋根１１ａによって覆われる第１構造部１０ａと、副屋根１１ｂによって覆われる第２構造部１０ｂとを一体として構築した、２階建ての住宅建築物である。本実施形態では、建物１０の西側に位置する第１構造部１０ａは、１階居住部１２と２階居住部１３との間に階間収納庫１４ａ，１４ｂを備える部分を有していることにより、略２．５層分の軒桁高さで形成されており、建物１０の東側に位置する第２構造部１０ｂは、１階（下階）の床部１２ａから０．５層分の高さに設けたキップ床１５の上方に中２階（中間階）居住部１６を備える部分を有していることにより、略１．５層分の軒桁高さで形成されている。
【００２３】
また、本実施形態では、建物１０は、第１構造部１０ａの主屋根１１ａから上方に僅かに突出した状態で開口する採光口１７を備える、３本の導光用縦ダクト１８ａ，１８ｂ，１８ｃを有しており、これらの導光用縦ダクト１８ａ，１８ｂ，１８ｃを介して、採光装置１９から建物１０の内部に太陽からの自然光を取り込むことができるようになっている。本実施形態では、３本の導光用縦ダクト１８ａ，１８ｂ，１８ｃのうち、第１構造部１０ａと第２構造部１０ｂとの接続部分に配置された一方の導光用縦ダクトである第３導光用縦ダクト１８ｃを介して、スキップ床１５の下方の空間に自然光を取り込むことにより、収納庫２５を設けるためのスキップ床１５の下方の空間を多目的の空間として、効率良く使用きるようにする。
【００２４】
なお、本実施形態では、第３導光用縦ダクト１８ｃ以外の第１導光用縦ダクト１８ａ及び第２導光用縦ダクト１８ｂは、第１階間収納庫１４ａや第２階間収納庫１４ｂに隣接して１階居住部１２と２階居住部１３との間の階間部分に設けられた、第１導光用横ダクト２１ａ及び第２導光用横ダクト２１ｂと各々連通し、第１構造部１０ａに配置されたこれらの導光用横ダクト２１ａ，２１ｂに、自然光を送り込むことができるようになっている（図４参照）。また、本実施形態では、図５に示すように、第１構造部１０ａの２階部分に設けたバルコニー２２にも、当該バルコニー２２に採光口が開口する導光用バルコニーダクト２０が設けられており、この導光用バルコニーダクト２０を介して、採光装置から建物１０の内部に取り込まれた自然光を、バルコニー２２に沿って第１構造部１０ａの階間部分に設けられた第３導光用横ダクト２１ｃに送り込むことができるようになっている（図４参照）。
【００２５】
そして、本実施形態の建物１０は、図１〜図５に示すように、中間床であるスキップ床１５の下方の空間を、自然光を利用した多目的の複合空間として効率良く使用することを可能にする採光収納構造部分２４を、第１構造部１０ａと第２構造部１０ｂとの接続部分及び第２構造部１０ｂに跨って備えており、この採光収納構造部分２４は、１階（下階）の床部１２ａから０．５層分の高さに設置されたスキップ床１５の下方の空間に設けられた１階（下階）収納庫２５及び多目的採光スペース２６と、この多目的採光スペース２６との接続部に放光口２７を備え、多目的採光スペース２６から縦方向に延設して上端が採光口１７ｃとして建物１０の主屋根１１ａの部分に開口すると共に、内周面に光反射材が取り付けられた第３導光用縦ダクト１８ｃと、採光口１７ｃに取り付けられた採光装置１９とによって構成される。
【００２６】
また、本実施形態では、スキップ床１５の上方に中２階（中間階）居住部１６が設けられると共に、第３導光用縦ダクト１８ｃを囲む他の部分に１階居住部１２及び２階居住部１３が設けられ、第３導光用縦ダクト１８ｃを囲むこれらの居住部１６，１２，１３のうち、中２階居住部１６及び２階居住部１３には、放光部２８を介して第３導光用縦ダクト１８ｃから自然光を取り込むことができるようになっている。
【００２７】
本実施形態の建物１０の１階部分には、図３に示すように、その南西の角部分にポーチ２９及び玄関３０が設けられており、玄関３０の北側には、略逆Ｌ字形状に延設する玄関ホール３１が設けられている。玄関ホール３１の北側には、建物１０の北西の角部分に配置されて、洗面室３２及び浴室３３が設けられており、浴室３３と玄関ホール３１との間の凹状に括れた部分は、屋外に位置する坪庭３４となっている。玄関ホール３１及び洗面室３２の東側には、１階廊下３５を挟んで北側からトイレ３６、折返し階段３７、キッチン３８が設けられており、キッチン３８の南側には、ポーチ２９及び玄関３０の東側に隣接して、リビング３９が設けられている。これらによって、建物１０の第１構造部１０ａにおける１階居住部１２が構成されることになる。
【００２８】
また、キッチン３８及びリビング３９の東側には、これらと連通するダイニング４０が、建物１０の第２構造部１０ｂにおける１階居住部１２として設けられている。ダイニング４０の北側には、建物１０の北東の角部分に配置されて、１階の床部１２ａから０．５層分の高さにスキップ床１５が設けられ（図３参照）、その下方の空間が、ダイニング４０から出入り可能な東側の１階収納庫２５と、西側の多目的採光スペース２６とに、仕切り壁４１によって区画されている。さらに、スキップ床１５の上方には、和室４２が、中２階居住部１６として、折返し階段３７の中２階踊り場部４３ａから出入り可能に設けられている（図４参照）。なお、本実施形態では、建物１０の第２構造部１０ｂにおける、１階居住部１２であるダイニング４０の天井、及び中２階居住部１６である和室４２の天井は、開放感のある勾配天井４４となっていると共に（図１参照）、ダイニング４０は、１．５層分の天井高さを有する吹抜け空間となっている。
【００２９】
本実施形態では、折返し階段３７を介して１階部分から昇降するフロアは、図４に示すように、建物１０の第１構造部１０ａにおいて階間収納庫１４ａ，１４ｂが配置される、０．５層分の高さの階間部分となっている。この階間部分には、建物１０の西側に沿って、第１階間収納庫１４ａが、折返し階段３７の階間踊リ場部４３ｂから出入り可能に設けられると共に、折返し階段３７の南側に隣接して、第２階間収納庫１４ｂが、階間踊リ場部４３ｂから出入り可能に設けられる。
【００３０】
また、本実施形態では、０．５層分の高さの階間部分には、建物１０の北西の角部分に沿って、第１導光用横ダクト２１ａが、第１階間収納庫１４ａから出入り可能に設けられると共に、第２階間収納庫１４ｂの南側の部分に沿って、第２導光用横ダクト２１ｂが、第２階間収納庫１４ｂから出入り可能に設けられる。さらに、本実施形態では、建物１０の南側の部分に沿って、第３導光用横ダクト２１ｃが、２階部分に設けたバルコニー２２の下方に位置して、第１階間収納庫１４ａから出入り可能に設けられる。各導光用横ダクト２１ａ，２１ｂ，２１ｃには、第１導光用縦ダクト１８ａ、第２導光用縦ダクト１８ｂ、及び導光用バルコニーダクト２０を介して取り込まれた太陽からの自然光が導光され、第１構造部１０ａ内の１階居住部１２を自然光によって効果的に照明することができるようになっている。なお、本実施形態では、図４における第２導光用横ダクト２１ｂと第３導光用横ダクト２１ｃとの間に挟まれる部分は、階間収納庫が設けられていない高天井部分４５となっており、この高天井部分４５によって、１階居住部１２のリビング３９は、１．５層分の天井高さを有する吹抜け空間を形成する。
【００３１】
本実施形態では、折返し階段３７を介して階間部分から昇降する２階部分は、図５に示すように、建物１０の第１構造部１０ａに設けられた２階居住部１３となっている。すなわち、２階部分には、折返し階段３７の昇降口と接続して、折返し階段３７の南側に２階ホール４６が設けられており、２階ホール４６の南側には、南東の角部分に配置されて、主寝室４７が設けられている。主寝室４７の西側には、南西の角部分に配置されて、第１洋室４８が設けられており、第１洋室４８の北側には、北西の角部分に配置されて、第２洋室４９が設けられている。また、主寝室４７及び第１洋室４８の南側には、これらから出入り可能なバルコニー２２が設けられれており、２階ホール４６の北側には、トイレ５０、ロフト５１、物入れ５２等が設けられている。
【００３２】
そして、本実施形態の建物１０は、図１及び図３に示すように、スキップ床１５の下方の空間を、自然光を利用した多目的の複合空間として効率良く使用することを可能にする採光収納構造部分２４を備えており、この採光収納構造部分２４は、スキップ床１５の下方の空間に設けられた１階収納庫２５及び多目的採光スペース２６と、この多目的採光スペース２６との接続部に放光口２７を備え、多目的採光スペース２６から縦方向に延設して上端が採光口１７ｃとして主屋根１１ａの部分に開口すると共に、内周面に光反射材が取り付けられた第３導光用縦ダクト１８ｃと、採光口１７ｃに取り付けられた採光装置１９とによって構成される。
【００３３】
本実施形態では、１階収納庫２５及び多目的採光スペース２６は、上方に和室４２が設けられた７．５畳程度の広さのスキップ床１５の下方の空間を、仕切り壁４１で東西に仕切ることにより、図３に示すように、東側の４．５畳程度の１階収納庫２５と、西側の３．０畳程度の広さの多目的採光スペース２６とに区画される。１階収納庫２５及び多目的採光スペース２６は、出入り口２５ａ，２６ａを介してダイニング４０から出入り可能となっている。また、１階収納庫２５と多目的採光スペース２６との間の仕切り壁４１には、放光部５３が設けられており、この放光部５３を介して、多目的採光スペース２６から１階収納庫２５に自然光を取り込むことができるようになっている。さらに、１階収納庫２５や多目的採光スペース２６の屋外に面した壁面には、適宜開閉窓や開閉扉等を設けておくこともできる。多目的採光スペース２６とダイニング４０との間の仕切壁や扉を透明な部材で構成して、多目的採光スペース２６内の展示物や動植物等を、ダイニング４０から容易に観賞できるようにすることもできる。
【００３４】
また、本実施形態では、多目的採光スペース２６の内周面は、光触媒系材料による仕上げが施されている。光触媒系材料としては、公知の各種の光触媒系材料を用いることができ、例えば特開２００２−２３５３８２号公報に記載される、光触媒活性を有する酸化チタンを担持した調湿性無機粉末を含有する水性エマルジョン塗料等を用いることができる。このような光触媒系材料は、太陽からの自然光による作用を受けて、空気中のＮＯXやＳＯX、ホルムアルデヒドなどの有害物質を除去する空気浄化機能や、アセトアルデヒド、アンモニア、硫化水素などによる悪臭を吸着、分解する脱臭機能、或いは水中に融解した汚染物質であるテトラクロロエチレンやトリクロロエチレンなどの揮発性有酸素化合物を分解、除去する浄水機能等を発揮する材料として知られるものである。また抗菌、殺菌作用によりクリーンな環境を形成する細菌・ウィルス感染抑制機能や、壁や床面の汚れを防ぐ防汚機能を発揮する材料としても知られるものである。
【００３５】
本実施形態では、第３導光用縦ダクト１８ｃは、例えば縦横９０ｃｍ程度の大きさの正方形の内空断面形状を有する筒状部分であって、その下端が、多目的採光スペース２６のスキップ床１５による天井部の南西の角部分に、図１に示すように放光口２７として真下に向けて開口することにより、多目的採光スペース２６に接続していると共に、スキップ床１５による天井部から鉛直上方に立設することにより縦方向に延設して、その上端の採光口１７ｃが、建物１０の主屋根１１ａから上方に僅かに突出した状態で開口する。
【００３６】
また、本実施形態では、第３導光用縦ダクト１８ｃには、上述のように、中２階居住部１６や２階居住部１３に自然光を送り込む放光部２８が、当該ダクト１８ｃの所望の位置にこれらの居住部１６，１３に向けて適宜開閉可能に開口形成されている。さらに、第３導光用縦ダクト１８ｃの上端部側面には、換気口２３が開口形成されており、この換気口２３には、換気ファン等の公知の各種の換気装置５４が取り付けられている。
【００３７】
そして、本実施形態では、第３導光用縦ダクト１８ｃには、これの内周面を覆うようにして光反射材が取り付けられることにより、採光装置１９から取り込まれた太陽からの自然光を、効率良く下方の多目的採光スペース２６に導入することができるようになっている。光反射材としては、光の全反射率の高い材料として公知の、各種の仕上げ材を用いることができ、例えば銀蒸着樹脂フィルム、高反射率アルミニウムシート、ガラスの鏡、圧延仕上鏡面アルミ、化学研磨鏡面アルミ、ステンレス製鏡面研磨材等を、好ましく用いることができる。
【００３８】
また、本実施形態では、第３導光用縦ダクト１８ｃの下端部分に、換気量調整装置として公知の例えば換気ダンパー５５が取り付けられている。換気ダンパー５５の回転羽根の回転角度を適宜調整することにより、第３導光用縦ダクト１８ｃ内の流路の一部又は全部を遮断して、多目的採光スペース２６から換気口２３に向かう換気量を適宜調整することができる。
【００３９】
さらに、本実施形態では、第３導光用縦ダクト１８ｃの下端部分に、光量調整装置として公知の例えば調光ダンパー５６が、換気ダンパー５５の下方に配置されて取り付けられている。調光ダンパー５６の回転羽根の回転角度を適宜調整することにより、第３導光用縦ダクト１８ｃ内の光路の一部又は全部を遮断して、放光口２７から多目的採光スペース２６に放射される自然光の光量を適宜調整することができる。なお、本実施形態では、調光ダンパー５６を全閉状態にしても第３導光用縦ダクト１８ｃを介した換気機能が損なわれないように、例えば図６に示すように、調光ダンパー５６の回転羽根５９を、間隔をおいて配置した複数の板５７による板列５８を、各板５７の位置を交互にずらせつつ間隔をおいて２重に配置して構成することにより、板５７の間及び板列５８の間の隙間を介して通気が確保されるようにすることが好ましい。
【００４０】
さらにまた、本実施形態では、第３導光用縦ダクト１８ｃの下端の放光口２７を覆って、例えば透光性を有するポリカーボネート等からなる配光板６０が取り付けられている。配光板６０には、例えば図７に示すように、これの周囲に換気グリル形式の多数の換気スリット６１が設けられ、これらの換気スリット６１によって通気を確保して、第３導光用縦ダクト１８ｃを介した換気をスムーズに行えるようになっている。また例えばスライド開閉板をスライドさせることによって、これらの換気スリット６１を必要に応じて同時に閉塞し、例えば屋内の暖房時等における第３導光用縦ダクト１８ｃへの暖気等の流入を、適宜遮断することができるようになっている。
【００４１】
本実施形態によれば、第３導光用縦ダクト１８ｃの上端の採光口１７ｃに取り付けられた採光装置１９は、壁や屋根、屋上等に取り付けられて、太陽からの自然光をダクトを介して建物の屋内に取り込むことが可能な機構を有する公知の各種の採光装置を用いることができる。例えば特開２０００−１６２５４１号公報、特開２０００−２４３１１１号公報、特開２００６−５４０７１号公報等に記載された採光装置に適宜改良を加えて用いることができる。
【００４２】
そして、上述の構成を備える本実施形態の採光収納構造部分を備える建物１０によれば、下階収納庫２５を設けるためのスキップ床１５の下方の空間を、自然光を利用した多目的の空間として、効率良く使用することができる。
【００４３】
すなわち、本実施形態の採光収納構造部分を備える建物１０によれば、１階の床部１２ａから０．５層分の高さに設置されたスキップ床１５の下方の空間に、１階収納庫２５に加えて、多目的採光スペース２６を設けたので、採光口１７ｃ及び放光口２７を備える第３導光用縦ダクト１８ｃを介して採光装置１９から取り込まれた自然光を、多目的採光スペース２６に採光することにより、１階収納庫２５による適度な広さの収納スペースを確保しつつ、自然光を利用した適度な広さの多目的の空間を、多目的採光スペース２６によって容易に形成することが可能になる。
【００４４】
また、スキップ床１５の上方に中２階居住部１６が設けられていると共に、第３導光用縦ダクト１８ｃを囲む他の部分に１階居住部１２及び２階居住部１３が設けられており、中２階居住部１６及び２階居住部１３には、放光部２８を介して第３導光用縦ダクト１８ｃから自然光を取り込むことができるようになっているので、これらの居住部１６，１３における省エネルギー化や自然との共生を図ることが可能になる。
【００４５】
さらに、１階収納庫２５と多目的採光スペース２６との間の仕切り壁４１に放光部５３が設けられており、この放光部５３を介して多目的採光スペース２６から１階収納庫２５に自然光を取り込むことができるので、暗い環境になり易い１階収納庫に自然光による明るさを容易に付与することが可能になる。
【００４６】
ここで、多目的採光スペース２６は、自然光を照明として用いた各種の展示物の展示スペースとして利用することができる。また多目的採光スペース２６は、小動物や熱帯魚等を飼育するためのペット飼育スペースや、観賞用の植物等を育成するためのインドアグリーンスペース等として適当な広さを備えており、このようなペット飼育スペースやインドアグリーンスペースとして用いることにより、特に動植物の健康や育成に有効である自然光を効果的に利用したスペースを形成することが可能になる。さらに、多目的採光スペース２６を小動物のペット飼育スペースとして用いた場合には、第３導光用縦ダクト１８ｃを介して１階居住部１２の手前で多目的採光スペース２６内の臭気を換気することができるので、ペット飼育スペース内のベットの臭いが屋内に拡散するのを効果的に回避することが可能になる。
【００４７】
そして、本実施形態の採光収納構造部分を備える建物１０によれば、第３導光用縦ダクト１８ｃの下端部分に換気量調整装置５５が取り付けられているので、第３導光用縦ダクト１８ｃを介して行う多目的採光スペース２６を経た換気の換気量を、適宜調整することが可能になり、また第３導光用縦ダクト１８ｃの下端部分に光量調整装置５６が取り付けられているので、放光口２７から多目的採光スペース２６に採光される自然光の光量を、適宜調整することが可能になる。
【００４８】
さらに、多目的採光スペース２６の内周面に光触媒系材料による仕上げが施されているので、太陽からの自然光の作用によって、空気中の有害物質除去機能、脱臭機能、抗菌・殺菌機能等を発揮させることにより、多目的採光スペース２６内の環境浄化を図ることが可能になると共に、多目的採光スペース２６内の壁や床面の汚れを抑制することが可能になる。
【００４９】
なお、本発明は上記実施形態に限定されることなく種々の変更が可能である。例えば、導光用縦ダクトの下端部分に換気量調整装置や光量調整装置を取り付ける必要は必ずしも無く、多目的採光スペースの内周面に光触媒系材料による仕上げを施す必要は必ずしもない。さらに、本発明が適用される建物は、２階建ての建物である必要は必ずしも無く、２階等を下階、３階等を上階として、３階建て以上の建物に適用することもできる。
【図面の簡単な説明】
【００５０】
【図１】本発明の好ましい一実施形態に係る採光収納構造部分を備える建物を南側から見た、図３のＡ−Ａに沿った略示断面図である。
【図２】本発明の好ましい一実施形態に係る採光収納構造部分を備える建物の上面図である。
【図３】本発明の好ましい一実施形態に係る採光収納構造部分を備える建物の構成を説明する１階部分の間取り図である。
【図４】本発明の好ましい一実施形態に係る採光収納構造部分を備える建物の構成を説明する階間部分の間取り図である。
【図５】本発明の好ましい一実施形態に係る採光収納構造部分を備える建物の構成を説明する２階部分の間取り図である。
【図６】光量調整装置として調光ダンパーの構成を説明する略示断面図である。
【図７】放光口を覆って取り付けられる配光板の構成を説明する略示断面図である。
【符号の説明】
【００５１】
１０  採光収納構造部分を備える建物
１０ａ  第１構造部
１０ｂ  第２構造部
１２  １階居住部（下階居住部）
１２ａ  １階の床部
１３  ２階居住部（下階居住部）
１５  キップ床
１６  中２階居住部（中間階居住部）
１７  採光口
１８ａ  第１導光用縦ダクト
１８ｂ  第２導光用縦ダクト
１８ｃ  第３導光用縦ダクト（導光用縦ダクト）
１９  採光装置
２３  換気口
２４  採光収納構造部分
２５  １階収納庫（収納庫）
２６  多目的採光スペース
２７  放光口
２８，５３  放光部
５４  換気装置
５５  換気ダンパー（換気量調整装置）
５６  調光ダンパー（光量調整装置）
６０  配光板
【図１】
2008127937.tif 000003
【図２】
2008127937.tif 000004
【図３】
2008127937.tif 000005
【図４】
2008127937.tif 000006
【図５】
2008127937.tif 000007
【図６】
2008127937.tif 000008
【図７】
2008127937.tif 000009